(57)【要約】【課題】ソケットにランプ装置を装着した状態での不具合を抑制できる照明器具を提供する。【解決手段】照明器具10は、器具本体12と、この器具本体12に配置されたソケット13およびランプ押え49とを備える。ソケット13は、ランプ装置11の一対のランプピン29が突出する口金23をソケット軸方向から挿入してソケット軸13aを中心に回転させることで装着する。ランプ押え49は、ソケット軸方向に対応して移動可能とするとともにソケット13に装着されたランプ装置11の方向に付勢され、ソケット13に装着されたランプ装置11を押える。【選択図】図１
2014154422.tif 000002
【特許請求の範囲】
【請求項１】
器具本体と；
器具本体に配置され、ランプ装置の一対のランプピンが突出する口金をソケット軸方向から挿入してソケット軸を中心に回転させることで装着するソケットと；
器具本体に配置され、ソケット軸方向に対応して移動可能とするとともにソケットに装着されたランプ装置の方向に付勢され、ソケットに装着されたランプ装置を押えるランプ押えと；
を具備していることを特徴とする照明器具。
【請求項２】
ランプ押えは、ソケットに装着されたランプ装置の反装着回転方向への回転を規制する
ことを特徴とする請求項１記載の照明器具。
【請求項３】
器具本体に対してソケットをソケット軸方向に沿って移動可能に支持するソケット支持手段と；
ソケットを器具本体側に付勢するソケット付勢手段と；
を備え、
ソケットに装着されたランプ装置は、ソケットとともに器具本体から離反する方向に移動してランプ押えによる回転規制が解除される
ことを特徴とする請求項２記載の照明器具。
【請求項４】
ランプ押えは、器具本体に対向するランプ装置の面に当接する
ことを特徴とする請求項１記載の照明器具。
【請求項５】
ランプ押えは、ソケットに装着されたランプ装置の一対のランプピンの位置に対して直交する位置に設けられている
ことを特徴とする請求項４記載の照明器具。
【発明の詳細な説明】
【技術分野】
【０００１】
本発明の実施形態は、ランプ装置の一対のランプピンが突出する口金を有するランプを装着する照明器具に関する。
【背景技術】
【０００２】
従来、一対のランプピンが突出する例えばＧＸ５３形の口金を有するランプ装置、およびこのランプ装置を着脱可能に装着するソケットを具備した照明器具がある。
【０００３】
このようなランプ装置の口金をソケットに装着する場合には、口金の一対のランプピンをソケットに挿入し、口金を回転させることにより、一対のランプピンがソケット内の端子に電気的に接続されるとともにソケット側に機械的に係止された状態に装着される。また、ランプ装置の口金をソケットから外す場合には、ランプ装置を装着時とは逆方向に回転させて一対のランプピンの係止を解除し、口金の一対のランプピンをソケットから抜き外す。
【０００４】
しかしながら、このようなランプ装置は比較的少ない回転量でソケットに取り付け、取り外しができる構造となっているため、外力によってランプ装置が装着時とは逆方向に回ってソケットから外れるおそれがあるという不具合がある。
【０００５】
また、このようなランプ装置は一対のランプピンでソケットに支えられる構造であるため、ソケットと口金との間にがたつきがあると、ソケットに対してランプ装置が傾くことがあるという不具合がある。
【先行技術文献】
【特許文献】
【０００６】
【特許文献１】特開２００９−１９９８４４号公報
【発明の概要】
【発明が解決しようとする課題】
【０００７】
従来の照明装置では、ソケットにランプ装置を装着した状態での不具合がある。
【０００８】
本発明が解決しようとする課題は、ソケットにランプ装置を装着した状態での不具合を抑制できる照明器具を提供することである。
【課題を解決するための手段】
【０００９】
実施形態の照明器具は、器具本体と、この器具本体に配置されたソケットおよびランプ押えとを備える。ソケットは、ランプ装置の一対のランプピンが突出する口金をソケット軸方向から挿入してソケット軸を中心に回転させることで装着する。ランプ押えは、ソケット軸方向に対応して移動可能とするとともにソケットに装着されたランプ装置の方向に付勢され、ソケットに装着されたランプ装置を押える。
【発明の効果】
【００１０】
本発明によれば、ソケットに装着されたランプ装置をランプ押えで押えるため、ソケットにランプ装置を装着した状態での不具合を抑制することが期待できる。
【図面の簡単な説明】
【００１１】
【図１】第１の実施形態を示す照明器具の断面図である。
【図２】同上照明器具の正面図である。
【図３】同上照明器具のランプ装置を外す場合の断面図である。
【図４】同上照明器具のランプ装置が外れている状態の断面図である。
【図５】第２の実施形態を示す照明器具の断面図である。
【図６】同上照明器具の正面図である。
【図７】第３の実施形態を示す照明器具の断面図である。
【発明を実施するための形態】
【００１２】
以下、第１の実施形態を、図１ないし図４を参照して説明する。
【００１３】
図１ないし図４には、例えば壁面に設置される照明器具10を示す。照明器具10は、円盤状のランプ装置11、このランプ装置11を配置する器具本体12と、ランプ装置11を装着するソケット13、このソケット13を器具本体12に支持するソケット支持手段14、ソケット13に装着されたランプ装置11を押える押え手段15、および器具本体12との間でランプ装置11を覆うグローブ16を備えている。
【００１４】
ランプ装置11は、円盤状のケース20を有している。このケース20の前面側には、環状の発光モジュール21が取り付けられているとともに、発光モジュール21の前面側を覆う環状のカバー22が取り付けられている。ケース20の裏面側には口金23が設けられ、ケース20および口金23の内部に図示しない点灯回路が収容されている。これらケース20、発光モジュール21、カバー22および口金23は、ランプ装置11のランプ軸11aを中心として設けられている。
【００１５】
ケース20には、発光モジュール21と口金23との間の環状の領域に、放熱性の向上のための複数の開口部24が周方向に沿って形成されている。
【００１６】
発光モジュール21は、ケース20に取り付けられる環状の基板25、およびこの基板25の前面に実装された複数の発光素子としてのＬＥＤ素子26を備えている。
【００１７】
カバー22は、透光性を有し、ＬＥＤ素子26の光が透過する。
【００１８】
口金23は、例えばＧＸ５６３形の口金構造を有し、ケース20に取り付けられる円盤状の基部27、この基部27の中央から突出する円筒状の突出部28、およびこの突出部28の側部で基部27の中心（ランプ軸11a）に対して対称位置から突出する一対のランプピン29を有している。一対のランプピン29は、円柱状に形成され、先端に径大部30が形成されている。
【００１９】
また、器具本体12は、例えば合成樹脂製で、円板状の本体部33、およびこの本体部33の前面周辺部から環状に突設されていてグローブ16を螺合装着する螺合部34を有している。
【００２０】
また、ソケット13は、ソケット軸13aを中心とする環状に形成され、中央部には口金23の突出部28が嵌合挿通される挿通孔37が形成されている。ソケット13の前面側には、ソケット軸13aを中心とする対称位置に、一対のランプピン29が挿入されて装着される装着孔38が形成されている。この装着孔38は、だるま孔形状に形成されており、ランプピン29の径大部30が挿通可能な孔部38a、ランプピン29のピン部分が移動可能でかつ径大部30が挿通不可能な溝部38bを有している。ソケット13内には、一対の装着孔38に装着された一対のランプピン29と電気的に接続される端子が配置されている。そして、一対の装着孔38は、ソケット軸13aを中心として点対称となるように形成されているとともに、器具本体12を壁面に設置した設置状態で一対の装着孔38の溝部38bの端部側が略水平に配置される。
【００２１】
また、ソケット支持手段14は、ソケット13の複数箇所であって例えば４箇所を器具本体12に対して支持するように設けられている。ソケット支持手段14は、両端に鍔部41を有する円筒状のガイド部材42を有している。このガイド部材42の前端側がソケット13の裏面側に取り付けられ、後端側が器具本体12の前面から突設されたガイド筒部43内に嵌合されて抜け止めされているとともにソケット軸方向に沿って移動可能に支持されている。ガイド部材42は、後端側の鍔部41がガイド筒部43内で移動可能とする所定の範囲内でソケット軸方向に移動可能とし、ガイド筒部43内に配置されたソケット付勢手段としてのスプリング44によって器具本体12側に付勢されている。
【００２２】
また、押え手段15は、前端部が球面状の当接部47に形成されるとともに後端側に鍔部48が形成された軸状のランプ押え49を有している。このランプ押え49の後端側は、器具本体12の前面から突設された円筒状のガイド筒部50内に嵌合されて抜け止めされているとともにソケット軸方向に対応して移動可能に支持されている。ランプ押え49は、後端側の鍔部48がガイド筒部50内で移動可能とする所定の範囲内でソケット軸方向に移動可能とし、ガイド筒部50内に配置されたランプ押え付勢手段としてのスプリング51によって器具本体12側に対して反対側である前方であってソケット13に装着されたランプ装置11の方向に付勢されている。
【００２３】
また、グローブ16は、透光性を有する合成樹脂製で、器具本体12の前面域およびソケット13に装着されたランプ装置11を一体的に覆って、器具本体12の螺合部34に螺合装着される。
【００２４】
そして、ランプ装置11をソケット13に装着する場合には、図４において、ランプ装置11の口金23の突出部28をソケット13の挿通孔37に挿入し、一対のランプピン29をソケット13の一対の装着孔38の孔部38aに挿入し、口金23の基部27をソケット13の前面に当接させる。このとき、ランプ装置11の裏面側であって隣り合う開口部24間の裏面側がランプ押え49の当接部47に当接し、スプリング51の付勢に抗してランプ押え49を器具本体12側に押し込む。
【００２５】
ランプ装置11の口金23をソケット13に挿入した状態で、ランプ装置11をソケット軸13a（ランプ軸11a）を中心として装着回転方向（図２の時計回り方向）に回転させることにより、一対のランプピン29が孔部38aから溝部38bに移動し、ソケット13内に配置されている端子に電気的に接続されるとともに、一対のランプピン29の径大部30がソケット13側に係止され、図１および図２に示すように、ランプ装置11がソケット13に対して所定の装着位置に装着される。
【００２６】
ランプ装置11を装着位置に回転させると、ランプ押え49がランプ装置11の裏面から開口部24に対向し、スプリング51の付勢によってランプ押え49が開口部24内に侵入する。これにより、ランプ押え49が開口部24の縁部に引っ掛かり、ランプ装置11が装着時とは反対の反装着回転方向（図２の反時計回り方向）に回転するのを阻止する。
【００２７】
また、ランプ装置11をソケット13から外す場合には、図３に示すように、ランプ装置11を器具本体12から離反するように前方へ引き出す。このとき、ソケット支持手段14のスプリング44が圧縮することにより、ソケット支持手段14でソケット13を支持したまま、このソケット13と一体にランプ装置11を前方へ引き出すことが可能となっている。
【００２８】
ランプ装置11を引き出した引出位置では、ランプ装置11の開口部24がランプ押え49から外れ、ランプ押え49によるランプ装置11の反装着回転方向への阻止が解除される。そのため、このランプ装置11の引出位置で、ランプ装置11をソケット軸13a（ランプ軸11a）を中心として反装着回転方向に回転させることにより、一対のランプピン29が装着孔38の溝部38bから孔部38aに移動させることができる。一対のランプピン29が装着孔38の孔部38aに移動すると、ソケット支持手段14のスプリング44の付勢によってソケット13が器具本体12側に移動し、引出位置にあるランプ装置11の口金23から自動的に外れる。
【００２９】
このように構成された照明器具10では、ソケット13に装着されたランプ装置11をランプ押え49で押えるため、すなわちソケット13に装着されたランプ装置11の反装着回転方向への回転を規制するため、不用意にランプ装置11がソケット13から外れるのを防止でき、ソケット13にランプ装置11を装着した状態での不具合を抑制できる。
【００３０】
さらに、ソケット13に装着されたランプ装置11は、ソケット13とともに器具本体12から離反する方向に移動させることにより、ランプ押え49による回転規制を解除でき、ランプ装置11のソケット13からの取り外しを容易にできる。
【００３１】
なお、この照明器具10は、壁面に設置する照明器具に限らず、天井面などに設置する照明器具にも適用できる。
【００３２】
次に、図５および図６に第２の実施形態を示す。なお、第１の実施形態と同じ構成および作用効果は同じ符号を用いてその説明を省略する。
【００３３】
押え手段15を２つ備え、これら２つの押え手段15を器具本体12に設ける位置を、ソケット13に装着されるランプ装置11の開口部24に対して外径側または内径側にずれた位置であってランプ押え49がランプ装置11の裏面に対向する位置であるとともに、ソケット13に装着されたランプ装置11の一対のランプピン29の位置に対して直交する上下の位置とする。なお、ソケット13に装着されたランプ装置11の一対のランプピン29の位置は水平方向に並ぶ位置であるため、それに直交する位置とは上下方向の位置である。
【００３４】
そして、ランプ装置11をソケット13に装着する場合には、ランプ装置11の口金23の突出部28をソケット13の挿通孔37に挿入し、一対のランプピン29をソケット13の一対の装着孔38の孔部38aに挿入し、口金23の基部27をソケット13の前面に当接させる。このとき、ランプ装置11の裏面側がランプ押え49の当接部47に当接し、スプリング51の付勢に抗してランプ押え49を器具本体12側に押し込む。
【００３５】
ランプ装置11の口金23をソケット13に挿入した状態で、ランプ装置11をソケット軸13a（ランプ軸11a）を中心として装着回転方向（図６の時計回り方向）に回転させることにより、一対のランプピン29が孔部38aから溝部38bに移動し、ソケット13内に配置されている端子に電気的に接続されるとともに、一対のランプピン29の径大部30がソケット13側に係止され、ランプ装置11がソケット13に対して所定の装着位置に装着される。
【００３６】
ランプ装置11を装着した状態においても、ランプ装置11の裏面側がランプ押え49の当接部47に当接し、スプリング51の付勢に抗してランプ押え49を器具本体12側に押し込んでいる。そのため、ランプ押え49が、ランプ装置11の裏面を押圧し、ソケット13に装着されたランプ装置11を保持している。
【００３７】
また、ランプ装置11をソケット13から外す場合には、ランプ装置11をソケット軸13a（ランプ軸11a）を中心として反装着回転方向に回転させることにより、一対のランプピン29が装着孔38の溝部38bから孔部38aに移動させ、一対のランプピン29を装着孔38の孔部38aから抜き外す。
【００３８】
このように構成された照明器具10では、ソケット13に装着されたランプ装置11をランプ押え49で押えるため、すなわちランプ押え49がランプ装置11の裏面に当接するため、ソケット13に対してランプ装置11ががたつくのを防止でき、ソケット13にランプ装置11を装着した状態での不具合を抑制できる。
【００３９】
また、ランプ押え49は、ソケット13に装着されたランプ装置11の一対のランプピン29の位置に対して直交する位置に設けられているため、がたつきやすい方向のランプ装置11の動きを規制できる。
【００４０】
また、ランプ押え49は、ランプ装置11に対して上下の位置に設けているため、ランプ装置11が自重によって傾いたり、がたつくのを防止できる。なお、自重でランプ装置11の前面が下側に傾くのを防止するには、ランプ装置11に対して下側の位置のみに１つのランプ押え49を設ければよく、さらに、ランプ装置11のがたつきを防止したり、下側のランプ押え49の作用によってランプ装置11の前面が上側に向きすぎるのを抑制したい場合などには、上下の位置にランプ押え49を設けるのが好ましい。
【００４１】
次に、図７に第３の実施形態を示す。なお、各実施形態と同じ構成および作用効果については同じ符号を用いてその説明を省略する。
【００４２】
壁部材60に設置された２個用埋込みボックス61を利用して照明器具10を設置する。
【００４３】
器具本体12の中央部に裏面側から突出する凸状部62が形成され、この凸状部62の前面側にソケット13を配置される。凸状部62およびソケット13は２個用埋込みボックス61内に挿入できる大きさとされている。
【００４４】
ソケット13に接続された電線63が器具本体12から引き出され、２個用埋込みボックス61内で結線される。器具本体12は、２個用埋込みボックス61が有するねじ孔を利用してねじ止めされる。
【００４５】
器具本体12が壁部材60に設置された状態では、凸状部62が２個用埋込みボックス61内に挿入配置され、この凸状部62とともにソケット13も２個用埋込みボックス61内に配置される。さらに、ソケット13に装着されるランプ装置11の口金23の一部も２個用埋込みボックス61内に配置される。
【００４６】
これにより、ランプ装置11を器具本体12に近付けて配置できるため、設置状態において壁部材60から照明器具10の突出寸法を小さくできるとともに、ランプ装置11の影がグローブ16に出にくくできる。
【００４７】
なお、この実施形態においても、押え手段を適用することができる。
【００４８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４９】
10    照明器具
11    ランプ装置
12    器具本体
13    ソケット
13a   ソケット軸
14    ソケット支持手段
23    口金
29    ランプピン
44    ソケット付勢手段としてのスプリング
49    ランプ押え
【図１】
2014154422.tif 000003
【図２】
2014154422.tif 000004
【図３】
2014154422.tif 000005
【図４】
2014154422.tif 000006
【図５】
2014154422.tif 000007
【図６】
2014154422.tif 000008
【図７】
2014154422.tif 000009